(57)【要約】【課題】  防水シート同士のファスニングによる防水構造でありながら、目地内をスッキリとした収まりにすることができ、しかも、それを施工容易に実現することができる外壁目地の防水構造及びその形成方法を提供する。【解決手段】  目地１を挟む両側の外壁面材２，２の背面側のそれぞれにＬ形の防水シート３，４の一方の辺３ａ，４ａが取り付けられ、もう一方の辺３ｂ，４ｂは目地１の外にはみ出すことなく目地１内に突出し、該もう一方３ｂ，４ｂの辺の向き合う側にファスニング用の凹凸３ｃ，４ｃが設けられ、該凹凸３ｃ，４ｃが嵌合されて防水シート３，４間が防水状態にファスニングされ、かつ、その背後に目地に沿って延びる反力材５が備えられている。ファスニングは、ローラー式やスライド式のファスニング工具を用いて容易に行うことができる。【選択図】      図１
2005090026.tif 000002
【特許請求の範囲】
【請求項１】
目地を挟む両側の外壁面材の背面側のそれぞれにＬ形の防水シートの一方の辺が取り付けられ、もう一方の辺は目地の外にはみ出すことなく目地側に突出する寸法を備えて目地内に突出し、該もう一方の辺の向き合う側にファスニング用の凹凸が設けられ、該凹凸が嵌合されて防水シート間が防水状態にファスニングされており、かつ、その背後に目地に沿って延びる反力材が備えられていることを特徴とする外壁目地の防水構造。
【請求項２】
ファスニング用の凹凸が防水シートの前記もう一方の辺の先端側に位置して備えられている請求項１に記載の外壁目地の防水構造。
【請求項３】
請求項１又は２に記載の外壁目地の防水構造を形成する方法であって、
ローラーの外周部に、両防水シートの前記もう一方の辺を嵌合することによりファスニング用凹凸を互いに嵌合させて両防水シートをファスニングするファスニング用の環状凹を備えたファスニング工具を用い、
該工具のローラーを、屋外側から外壁目地内に挿入してローラー外周部のファスニング用環状凹内に両防水シートの前記もう一方の辺を嵌合し、反力材に押し付けながら目地に沿って回転移動させていくことにより、ファスニング用凹凸を嵌合させ、防水シート間を防水状態にファスニングしていくことを特徴とする形成方法。
【請求項４】
請求項１又は２に記載の外壁目地の防水構造を形成する方法であって、
スライダーに両防水シートの前記もう一方の辺を嵌合することによりファスニング用凹凸を互いに嵌合させて両防水シートをファスニングするファスニング用の溝を備えたファスニング工具を用い、
該工具のスライダーを、屋外側から外壁目地内に挿入してスライダーのファスニング用溝内に両防水シートの前記もう一方の辺を嵌合し、反力材に押し付けながら目地に沿ってスライド移動させていくことにより、ファスニング用凹凸を互いに嵌合させ、防水シート間を防水状態にファスニングしていくことを特徴とする形成方法。
【発明の詳細な説明】
【技術分野】
【０００１】
本発明は、外壁目地の防水構造及びその形成方法に関する。
【背景技術】
【０００２】
外壁面材間の目地の防水工法として、図５（イ）に示すように、目地５１を挟む両側の外壁面材５２，５２の背面側のそれぞれにＬ形の防水シート５３，５４の一方の辺５３ａ，５４ａが取り付けられ、もう一方の辺５３ｂ，５４ｂは目地５１の外に突出する寸法を備えて一旦目地５１の外に突出され、該もう一方の辺５３ｂ，５４ｂの向き合う側には、目地５１の外において、図５（ロ）（ハ）に示すように、ファスニング用の凹凸５３ｃ，５４ｃが設けられており、該凹凸５３ｃ，５４ｃを屋外側から手作業などで嵌合して防水シート５３，５４間を防水状態にファスニングし、これを図５（イ）の仮想線で示すように、丸めるなどして目地５１内に押し込んで収容するようにしたものが提供されている。
【０００３】
この工法では、目地５１を挟む両外壁面材５２，５２の背面側のそれぞれに予めＬ形の防水シート５３，５４を取り付けておき、外壁面材５２，５２の建方後、屋外側から防水シート５３，５４同士をファスニングして防水状態を形成することができ、防水の施工を容易に行うことができる利点がある。
【発明の開示】
【発明が解決しようとする課題】
【０００４】
しかしながら、上記のような工法では、防水シート５３，５４同士のファスニングを目地５１の外で行うようにしているため、ファスニング後は、上記のように、丸めるなどして目地５１内に押し込んで収容しておく必要があり、そのため、目地５１内が押し込まれた部分によって占拠されてしまい、目地内をすっきりとした収まりにすることができないという問題がある。
【０００５】
また、防水シート５３，５４同士のファスニングを目地５１の外で行うようにしているため、ファスニング後に、丸めて目地５１内に押し込む作業が必要であり、それが厄介であるという問題もある。
【０００６】
本発明は、上記のような従来の問題点に鑑み、防水シート同士のファスニングによる防水構造でありながら、目地内をスッキリとした収まりにすることができ、しかも、それを施工容易に実現することができる外壁目地の防水構造及びその形成方法を提供することを課題とする。
【課題を解決するための手段】
【０００７】
上記の課題は、目地を挟む両側の外壁面材の背面側のそれぞれにＬ形の防水シートの一方の辺が取り付けられ、もう一方の辺は目地の外にはみ出すことなく目地側に突出する寸法を備えて目地内に突出し、該もう一方の辺の向き合う側にファスニング用の凹凸が設けられ、該凹凸が嵌合されて防水シート間が防水状態にファスニングされており、かつ、その背後に目地に沿って延びる反力材が備えられていることを特徴とする外壁目地の防水構造によって解決される。
【０００８】
この構造では、目地を挟む両側の外壁面材の背面側のそれぞれに取り付けられたＬ形の防水シートのもう一方の辺が目地の外にはみ出すことなく目地側に突出する寸法を備えて目地内に突出するようになされているので、該もう一方の辺の寸法は短く、そのため、該もう一方の辺によって目地内が狭められてしまうことがなく、目地内をスッキリとした収まりにすることができる。
【０００９】
しかも、その背後に目地に沿って延びる反力材が備えられているので、この反力材を利用することなどによって、屋外側から、種々の方法により、両防水シートを目地内においてファスニングすることができる。
【００１０】
上記の防水構造の形成は、ローラーの外周部に、両防水シートの前記もう一方の辺を嵌合することによりファスニング用凹凸を互いに嵌合させて両防水シートをファスニングするファスニング用の環状凹を備えたファスニング工具を用い、
該工具のローラーを、屋外側から外壁目地内に挿入してローラー外周部のファスニング用環状凹内に両防水シートの前記もう一方の辺を嵌合し、反力材に押し付けながら目地に沿って回転移動させていくことにより、ファスニング用凹凸を嵌合させ、防水シート間を防水状態にファスニングしていくことによって行うとよい。
【００１１】
この方法では、ファスニング前のファスニング用凹凸が目地内に存在する構造でありながら、上記のようなローラー式ファスニング工具を用いることで、このファスニング用凹凸を極めて容易に嵌合させファスニングしていくことができ、しかも、ファスニング後の防水シートの押込みも必要でなく、本発明の防水構造を施工容易に実現することができる。特に、ファスニング工具は、ローラー式のものからなっているので、ファスニングをスムーズに行っていくことができる。
【００１２】
また、上記の防水構造の形成は、スライダーに両防水シートの前記もう一方の辺を嵌合することによりファスニング用凹凸を互いに嵌合させて両防水シートをファスニングするファスニング用の溝を備えたファスニング工具を用い、
該工具のスライダーを、屋外側から外壁目地内に挿入してスライダーのファスニング用溝内に両防水シートの前記もう一方の辺を嵌合し、反力材に押し付けながら目地に沿ってスライド移動させていくことにより、ファスニング用凹凸を互いに嵌合させ、防水シート間を防水状態にファスニングしていくことによって行うのもよい。この方法でも、ファスニング前のファスニング用凹凸が目地内に存在する構造でありながら、上記のようなスライド式ファスニング工具を用いることで、このファスニング用凹凸を極めて容易に嵌合させファスニングしていくことができ、しかも、ファスニング後の防水シートの押込みも必要でなく、本発明の防水構造を施工容易に実現することができる。
【００１３】
上記の構造において、ファスニング用の凹凸が防水シートの前記もう一方の辺の先端側に位置して備えられている場合は、目地幅に寸法上の誤差を生じたような場合であっても、その誤差を吸収して防水シート同士を適正ファスニング状態ひいては適正防水状態にファスニングすることができる。
【発明の効果】
【００１４】
本発明は、以上のとおりのものであるから、防水シート同士のファスニングによる防水構造でありながら、目地内をスッキリとした収まりにすることができ、しかも、それを施工容易に実現することができる。
【発明を実施するための最良の形態】
【００１５】
次に、本発明の実施最良形態を図面に基づいて説明する。
【００１６】
図１及び図２に示す実施形態の外壁目地防水構造において、１は目地、２，２は、目地１を挟む左右の外壁面材、３，４はＬ形防水シート、５は反力材である。
【００１７】
外壁面材２は、面材本体２ａの背面側に下地材２ｂが備えられたもので、各外壁面材２，２の下地材２ｂ，２ｂの背面部に、Ｌ形の防水シート３，４の一方の辺３ａ，４ａが貼付けなどによって防水状態に取り付けられ、もう一方の辺３ｂ，４ｂは、目地１の外にはみ出すことなく目地１側に突出する寸法を備えて、目地１内に突出している。そして、該もう一方の辺３ｂ，４ｂの向き合う側の先端部にファスニング用の凹凸３ｃ，４ｃが設けられ、該凹凸３ｃ，４ｃが嵌合されて防水シート３，４間が防水状態にファスニングされ、その背後には目地１に沿って延びる柱などの反力材５が備えられている。
【００１８】
この防水構造の施工は、まず、図２（イ）に示すように、Ｌ形防水シート３，４が予め取り付けた外壁面材２、あるいは、外壁面材２にフレームが取り付けられた外壁パネルを用い、その建方を行う。次いで、防水シート３，４のファスニングを行う。ファスニングは、例えば、図３及び図４（イ）に示すようなローラー型ファスニング工具を用いることで極めて容易に行うことができる。
【００１９】
即ち、このファスニング工具６は、ローラー７を備え、ローラー７の外周部には、図３（イ）（ロ）に示すように、両防水シート３，４の前記もう一方の辺３ｂ，４ｂを嵌合することによりファスニング用凹凸３ｃ，４ｃを互いに嵌合させて両防水シート３，４をファスニングするファスニング用の環状凹８が幅方向の中間部に備えられている。
【００２０】
このファスニング工具６を用い、図３に示すように、ローラー７を目地１内に挿入し、そのファスニング用環状凹８内に防水シート３，４のもう一方の辺３ｂ，４ｂを嵌合する。反力材５はこの嵌合の際の反力を与えてくれる。これにより、該もう一方の辺３ｂ，４ｂのファスニング用の凹凸３ｃ，４ｃが、ファスニング用環状凹８内の両側面部に両側方から押されて嵌合する。この嵌合状態を維持したまま、図４（イ）に示すように、ファスニング工具６を、そのローラー７を反力材５に押し付けて回転させるようにしながら、下から上あるいは上から下に移動していく。これにより、防水シート３，４間が防水状態にファスニングされる。特に、防水シート３，４の前記もう一方の辺３ｂ，４ｂは目地１内に収まる低背なサイズに設計されるので、ファスニング工具６の環状凹８との嵌合を容易に実現することができる。
【００２１】
このように、上記の方法では、ファスニング前のファスニング用凹凸３ｃ，４ｃが目地１内に存在する構造でありながら、ローラー式ファスニング工具６を用いることで、このファスニング用凹凸３ｃ，４ｃを極めて容易に嵌合させファスニングしていくことができ、しかも、ファスニング後の防水シート３，４の押込みも必要でなく、上記の防水構造を施工容易に実現することができる。
【００２２】
また、上記のローラー式ファスニング工具に代えて、図４（ロ）に示すようなスライド式のファスニング工具１０を用いるのもよい。このファスニング工具１０は、例えば、ローラー式ファスニング工具６のローラー７を半割りにしたものなどからなるスライダー１１を備え、該スライダー１１の円弧側を目地１内に挿入し、目地１の延びる方向にスライドさせていけば、目地１内のファスニング用凹凸３ｃ，４ｃを容易にファスニングしていくことができる。なお、図３はローラー式工具６による場合とスライド式工具１０による場合とを兼ねて示している。
【００２３】
そして、上記の防水構造では、目地１を挟む両側の外壁面材２，２の背面側のそれぞれに取り付けられたＬ形の防水シート３，４のもう一方の辺３ｂ，４ｂが目地１の外にはみ出すことなく目地１側に突出する寸法を備えて目地１内に突出するようになされているので、該もう一方の辺３ｂ，４ｂの寸法は短く、そのため、該もう一方の辺３ｂ，４ｂによって目地１内が狭められてしまうことがなく、目地１内をスッキリとした収まりにすることができる。なお、目地１は、そのまま屋外にオープンにされてもよいし、目地１内の屋外側に乾式あるいは湿式のシーリング材などが設置されてもよい。
【００２４】
しかも、ファスニング用の凹凸３ｃ，４ｃが防水シート３，４の前記もう一方の辺３ｂ，４ｂの先端側に位置して備えられているので、目地幅に寸法上の誤差を生じたような場合であっても、その誤差を吸収して防水シート３，４同士を適正ファスニング状態ひいては適正防水状態にファスニングすることができる。
【００２５】
以上に、本発明の実施形態を示したが、本発明はこれに限られるものではなく、発明思想を逸脱しない範囲で各種の変更が可能である。例えば、本発明は、縦目地、横目地のいずれの場合にも用いることができるものである。また、本発明の目地防水構造では、目地内の防水シートのファスニングは、反力材を利用するなどして、屋外側からのアクセスによって種々の方法で行われたものであってよい。即ち、反力材が合って屋内側からのアクセスでは防水シートのファスニングを行えない場合の構造が本発明の構造ということもできる。
【図面の簡単な説明】
【００２６】
【図１】実施形態の目地防水構造を示すもので、図（イ）は断面平面図、図（ロ）は要部拡大断面平面図である。
【図２】図（イ）は外壁面材の施工方法を示す平面断面図、図（ロ）及び図（ハ）はＬ形防水シートの断面斜視図である。
【図３】施工方法を示すもので、図（イ）はファスニング工具挿入前の状態を示す平面断面図、図（ロ）はファスニング工具挿入後の状態を示す平面断面図である。
【図４】施工方法を示すもので、図（イ）はローラー式工具を用いた場合の断面側面図、図（ロ）はスライド式工具を用いた場合の断面側面図である。
【図５】先行技術例を示すもので、図（イ）は目地部の断面平面部、図（ロ）は防水シートのファスニング状態を示す拡大断面平面図、図（ハ）は防水シートのファスニング前の状態を示す拡大断面平面図である。
【符号の説明】
【００２７】
１…目地
２…外壁面材
３，４…Ｌ形防水シート
３ａ，４ａ…一方の辺
３ｂ，４ｂ…もう一方の辺
３ｃ，４ｃ…ファスニング用凹凸
５…反力材
６…ローラー式ファスニング工具
７…ローラー
８…ファスニング用環状凹
１０…スライド式ファスニング工具
１１…スライダー
【図１】
2005090026.tif 000003
【図２】
2005090026.tif 000004
【図３】
2005090026.tif 000005
【図４】
2005090026.tif 000006
【図５】
2005090026.tif 000007